(57)【要約】      （修正有）【課題】組立済み足場の端部に追加の足場を接続する際に、工具等が落下するのを防止する吊り足場における防護網の取付け装置を提供する。【解決手段】組立済み足場Ａと、組立済み足場Ａの端部に接続した追加の足場Ｂとをそれぞれ備えた下段足場と上段足場とが傾斜又は湾曲した構造物の工事箇所に対応して階段状に複数吊り下げられ、ノード５に起立した手摺支柱６ａと、各ジョイスト１、２、３、４上に載置した床材７とを備え、組立済み足場Ａの前後又は左右のジョイストに追加の足場Ｂの前後又は左右のジョイストをノード５を介して回転自在に結合させている吊り足場において、追加の足場Ｂの前後又は左右一対の各手摺支柱６ａ上に追加の足場Ｂより外方に延びる一対の吊り材８を回転自在に取付け、各吊り材８の先端に矩形の防護網９の先端コーナを吊り下げ、防護網９の下端コーナを下段足場の手摺支柱６ａに取り付ける。【選択図】図１
2020084477.tif 000002
【特許請求の範囲】
【請求項１】
組立済み足場（Ａ）と、上記組立済み足場（Ａ）の端部に接続した追加の足場（Ｂ）とをそれぞれ備えた下段足場と上段足場とが傾斜又は湾曲した構造物の工事箇所に対応して階段状に複数吊り下げられ、上記組立済み足場（Ａ）と上記追加の足場（Ｂ）とがそれぞれ前後左右のジョイスト（１）、（２）、（３）、（４）と、各ジョイスト（１）、（２）、（３）、（４）の端部を回転自在に結合させたノード（５）と、上記ノード（５）に起立した手摺支柱（６ａ）と、上記各ジョイスト（１）、（２）、（３）、（４）上に載置した床材（７）とを備え、上記組立済み足場（Ａ）の前後又は左右のジョイストに上記追加の足場（Ｂ）の前後又は左右のジョイストを上記ノード（５）を介して回転自在に結合させている吊り足場において、
上記追加の足場（Ｂ）の前後又は左右一対の各手摺支柱（６ａ）上に上記追加の足場（Ｂ）より外方に延びる一対の吊り材（８）を回転自在に取付け、上記各吊り材（８）の先端に防護網（９）の先端コーナを吊り下げ、上記防護網（９）の下端コーナを上記下段足場の手摺支柱（６ａ）に取り付けることを特徴とする吊り足場における防護網の取付装置。
【請求項２】
組立済み足場（Ａ）と、上記組立済み足場（Ａ）の端部に接続した追加の足場（Ｂ）とを備え、上記組立済み足場（Ａ）と上記追加の足場（Ｂ）とがそれぞれ前後左右のジョイスト（１）、（２）、（３）、（４）と、各ジョイスト（１）、（２）、（３）、（４）の端部を回転自在に結合させたノード（５）と、上記ノード（５）に起立した手摺支柱（６ａ）と、上記各ジョイスト（１）、（２）、（３）、（４）上に載置した床材（７）とを備え、上記組立済み足場（Ａ）の前後又は左右のジョイストに上記追加の足場（Ｂ）の前後又は左右のジョイストを上記ノード（５）を介して回転自在に結合させている吊り足場において、
上記追加の足場（Ｂ）の前後又は左右一対の各手摺支柱（６ａ）上に上記追加の足場（Ｂ）より外方に延びる一対の吊り材（８）を回転自在に取付け、上記各吊り材（８）の先端に防護網（９）の先端コーナを吊り下げ、上記防護網（９）の下端コーナを上記組立済み足場（Ａ）の任意の位置に設けた介錯ロープに吊り下げることを特徴とする吊り足場における防護網の取付け装置。
【請求項３】
上記吊り材（８）が上記手摺支柱（６ａ）の上端に回転自在に支持された水平ロッド（８ａ）と、上記水平ロッド（８ａ）の先端に連結したハの字状の一対の吊りロッド（８ｂ）、（８ｃ）とからなり、一方の吊りロッド（８ｂ）に上記防護網（９）の先端コーナを吊り下げ、他方の吊りロッド（８ｃ）に上記防護網（９）の任意の外端部を吊り下げていることを特徴とする請求項１又は請求項２に記載の吊り足場における防護網の取付け装置。
【請求項４】
上記手摺支柱（６ａ）の上部に筒体（１１）が回転自在に挿入され、上記筒体（１１）の側面に水平なガイド筒（１０）が結合され、上記ガイド筒（１０）に上記水平ロッド（８ａ）が挿入されるとともに、上記ガイド筒（１０）と上記水平ロッド（８）に回転防止ピン（１２）を抜き差し自在に挿入することを特徴とする請求項３に記載の吊り足場における防護網の取付け装置。
【発明の詳細な説明】
【技術分野】
【０００１】
本発明は、吊り足場における防護網の取付け装置に関し、特に、組立済み足場の端部に他の追加の足場を接続して取付ける際に、この追加の足場の下方に展張して工具や機材の落下を防止する防護網の取付け装置に関する。
【背景技術】
【０００２】
近年、例えば、橋梁等の構築物の構築工事、高層ビル等の建築物の建築工事あるいはこれらのメンテナンス工事を行う場合には構築物や建築物（以下、「構造物」とする）の下方に吊り足場を吊り下げ、この吊り足場上で諸作業を行っている。
【０００３】
この吊り足場としては、例えば、特許文献１に開示されているものが開発されている。具体的には、地上又は構造物上で組み立てた足場である組立済み足場をクレーン等の重機を使って構造物に吊下げ、組立て済み足場上で、この組立済み足場の端部に作業面積に応じて一つ又は複数の追加の足場を縦横に順次接続して作業床を拡げるようにするものである。
【０００４】
この場合、構造物の工事箇所が水平な場合は、この構造物の下方に水平な組立済み足場と、この組立済み足場の端部に水平に接続された追加の足場とで形成された全体が長い水平な単一の吊り足場を設置し、この単一の吊り足場上で諸作業を行っている。
【０００５】
他方、例えば、アーチ橋からなる橋梁のように構造物の工事箇所である下側が傾斜したり、湾曲している場合は、工事箇所に沿って下段の吊り足場と上段の吊り足場とを複数階段状に吊り下げ、工事箇所に対応する吊り足場を利用してそれぞれ諸作業を行うようにしている。
【先行技術文献】
【特許文献】
【０００６】
【特許文献１】特開２０１３−２５６８６１号公報（段落００５４〜００５６、図１５、図２８Ａ、図２８Ｂ、図２８Ｃ参照）
【発明の概要】
【発明が解決しようとする課題】
【０００７】
上記の特許文献１に示す吊り足場は特に機能上の欠陥があるわけではないが、次のような不具合があり、その改善が望まれている。
【０００８】
特許文献１に示す吊り足場における、組立て済みの足場の端部に追加の足場を接続する作業は、組立て済みの足場の端部にユニット化された枠体を接続し、その枠体に床板、手摺、巾木等を取り付けて行われる。そのため、枠体を接続した時は、一時的にではあるものの、床板、手摺、巾木等がない状態となる。
【０００９】
このような場合でも、足場組立て用の工具が落下しないように、工具を作業者のベルトに繋ぐなどして、落下防止の安全対策は講じられているものの、万一に備えさらなる落下防止策が要望されていた。
【００１０】
そこで、本発明の目的は、組立済み足場の端部に追加の足場を接続する際に、工具等が落下するのを防止する吊り足場における防護網の取付け装置を提供することである。
【課題を解決するための手段】
【００１１】
上記の目的を達成させるため、本発明の一つの手段は、組立済み足場と、上記組立済み足場の端部に接続した追加の足場とをそれぞれ備えた下段足場と上段足場とが傾斜又は湾曲した構造物の工事箇所に対応して階段状に複数吊り下げられ、上記組立済み足場と上記追加の足場とがそれぞれ前後左右のジョイストと、各ジョイストの端部を回転自在に結合させたノードと、上記ノードに起立した手摺支柱と、上記各ジョイスト上に載置した床材とを備え、上記組立済み足場の前後又は左右のジョイストに上記追加の足場の前後又は左右のジョイストを上記ノードを介して回転自在に結合させている吊り足場において、上記追加の足場の前後又は左右一対の各手摺支柱上に上記追加の足場より外方に延びる一対の吊り材を回転自在に取付け、上記各吊り材の先端に矩形の防護網の先端コーナを吊り下げ、上記防護網の下端コーナを上記下段足場の手摺支柱に吊り下げることを特徴とする。
【００１２】
同じく、他の手段は、組立済み足場と、上記組立済み足場の端部に接続した追加の足場とを備え、上記組立済み足場と上記追加の足場とがそれぞれ前後左右のジョイストと、各ジョイストの端部を回転自在に結合させたノードと、上記ノードに起立した手摺支柱と、上記各ジョイスト上に載置した床材とを備え、上記組立済み足場の前後又は左右のジョイストに上記追加の足場の前後又は左右のジョイストを上記ノードを介して回転自在に結合させている吊り足場において、上記追加の足場の前後又は左右一対の各手摺支柱上に上記追加の足場より外方に延びる一対の吊り材を回転自在に取付け、上記各吊り材の先端に防護網の先端コーナを吊り下げ、上記防護網の下端コーナを上記組立済み足場の任意の位置設けた介錯ロープに取り付けることを特徴とする。
【発明の効果】
【００１３】
各請求項の発明によれば、次の効果を達成できる。
Ａ）追加の足場の手摺支柱上に追加の足場より外方に延びる一対の吊り材を回転自在に取付け、各吊り材の先端に防護網の先端コーナを吊り下げ、またこの防護網の下端コーナを下段足場の手摺支柱や組立済み足場の任意の位置に吊り下げているので、防護網を追加の足場の下方に展張できる。
Ｂ）その結果、組立済み吊り足場の端部に追加の足場を接続する際に作業者や工具が落下するのが防止され、工事の安全性が図れる。
【図面の簡単な説明】
【００１４】
【図１】本発明の一実施の形態に防護網の取付け装置を使用している吊り足場の一部切欠き斜視図である。
【図２】（Ａ），（Ｂ），（Ｃ），（Ｄ）は吊り足場の組立工程を示す斜視図である。
【図３】傾斜した構造物の工事箇所に下段足場と上段足場とを複数階段状に吊りさげた状態と防護網の取付け工程を示す側面図である。
【図４】（Ａ），（Ｂ），（Ｃ）は追加の足場用ジョイストの下方に防護網を吊り下げた状態を示す平面図と側面図と正面図である。
【図５】（Ａ），（Ｂ）は組立済み足場の端部に一つ目の追加の足場用ジョイストを取付け、併せて組立済み足場の両側の手摺支柱にそれぞれ取付けた一対の吊り材に防護網を吊り下げて防護網を追加の足場用ジョイストの下方に吊り下げる準備段階の工程を示す平面図と側面図である。
【図６】（Ａ），（Ｂ）は組立済み足場の手摺支柱に取付けた吊り材と追加の足場用のジョイストに取付けた手摺支柱にそれぞれ取付けた吊り材に防護網を吊り下げた状態の工程を示す平面図と側面図である。
【図７】（Ａ），（Ｂ）は追加の足場用ジョイストとこのジョイストに取付け手摺支柱に取付けた吊り材をそれぞれ回転して防護網を吊り下げた状態の工程を示す平面図と側面図である。
【図８】（Ａ），（Ｂ）は組立済み足場に二つ目の追加の足場用ジョイストを取り付け、併せてこのジョイストに取付けた手摺支柱に二つ目の吊り材を取り付け、この二つ目の吊り材に防護網を吊り下げた状態の工程を示す平面図と側面図である。
【図９】（Ａ），（Ｂ）は二つ目のジョイストと二つ目の吊り材をそれぞれ回転して防護網を吊り下げた状態の工程を示す平面図と側面図である。
【図１０】（Ａ），（Ｂ）は追加した一つ目と二つ目の各ジョイストの手摺支柱にそれぞれ取付けた一つ目と二つ目の吊り材に防護網を吊り下げ、組立済み足場に取付けた吊り材を撤去する工程を示す平面図と側面図である。
【図１１】（Ａ），（Ｂ），（Ｃ）は組立済み足場と追加の足場の各手摺支柱にそれぞれ取付けた吊り材に防護網を吊り下げた状態を示す平面図と側面図である。
【図１２】（Ａ），（Ｂ），（Ｃ）は吊り材を構成する水平ロッドを回転自在に支持する支持部材の拡大平面図と側面図と横断平面図である。
【発明を実施するための形態】
【００１５】
以下に本発明の一実施の形態を図１〜図１２を参照しながら説明する。
【００１６】
本発明は、橋梁等の構築工事、建築物の建築工事或いはメンテナンス工事に使用する吊り足場の下方に防護網を展張させて作業者や工具が落下するのを防止する防護網の取付け装置に関する。
【００１７】
特に、ジョイストを関節移動式に組付けた組立済み足場の端部に同じく関節移動式のジョイストを利用した他の追加の足場を接続して取付ける際に、この追加の足場の下方に防護網を吊り下げる防護網の取付け装置に関する。
【００１８】
本発明に係る吊り足場はジョイストを利用して予め組み付けた組立済み足場と、この組立済み足場の前後、左右の端部に接続した同じくジョイストを利用した追加の足場とからなるものである。
【００１９】
そして、構造物の工事箇所がアーチ橋のように傾斜したり、湾曲している場合は、下段の吊り足場と上段の吊り足場とを構造物の工事箇所に対応して階段状に複数吊り下げ、それぞれの足場上で諸作業を行うものである。
【００２０】
他方、構造物の工事箇所が水平な場合は組立済み足場の前後、左右に追加の足場を連続して複数接続させて構成させた単一の水平な吊り足場を吊り下げ、この吊り足場上で諸作業を行うようになっている。
【００２１】
例えば、上記の吊り足場は上記特許文献１に開示されたものと同じである。即ち、この吊り足場の基本構造は、図２（Ｄ）に示すように、組立済み足場Ａと、組立済み足場Ａの前後、左右の端部に連続して接続した複数の追加の足場Ｂとを備えたものである。
【００２２】
組立済み足場Ａと追加の足場Ｂとは同じ構造が採用されている。即ち、各足場Ａ、Ｂは前後左右のトラス梁からなる４組のジョイスト１、２、３、４と、各ジョイスト１、２、３、４の端部を関節移動式に回転自在に結合させたノード５とを有し、上記ジョイスト１、２、３、４で長方体状の枠体を構成している。
【００２３】
そしてジョイスト１、２、３、４で組付けた枠体をノード５を介して縦横に回転自在に多数接続することにより構造物の工事箇所の面積に対応して図２（Ｄ）に示すような大きな吊り足場の枠体を組立てることができる。
【００２４】
この場合、図２（Ａ）に示すように基本となる最初の吊り足場である組立済み足場Ａは、４つのノード５を介してジョイスト１、２、３、４を回転自在に連結して四角状に組立てられた枠体のジョイスト１、２、３、４上に床材７を載置して組立てられる。
【００２５】
次に、この床材７を利用して図２（Ａ）に示すように組立済み足場Ａの端部に、例えば、背面側のジョイスト２に対向して追加の足場Ｂにおける左右のジョイスト３、４の端部をそれぞれ左右のノード５、５を介して回転自在に接続し、次いで図２（Ｂ）、（Ｃ）に示すように回転して正方形又は長方形の枠体を構成させる。
【００２６】
この場合、組立済み足場Ａの背面側ジョイスト２は、追加の足場Ｂの正面側のジョイスト１を兼ねることになる。上記のようにして組付けた追加の足場Ｂにおいても各ジョイスト１、２、３、４上に床材７を載置し、更に組立済み足場Ａと追加の足場Ｂにおける手摺６用の手摺支柱６ａ（図１参照）を各ノード５の中心に設けられた孔に差し込んで起立させるようになっている。
【００２７】
上記したように、例えば、傾斜又は湾曲した梁等の構造物の工事箇所におけるメンテナンス工事では図３に示すように梁Ｘの下方にこの梁Ｘの傾斜面に沿って下側から上側に複数の足場Ｙ１、Ｙ２・・・Ｙｎを階段状に吊りワイヤＷを介して吊り下げ、工事箇所に対応した位置に配置されている足場上で諸作業を行うようにしている。
【００２８】
この場合、例えば、最下段の足場Ｙ１上に上段の足場Ｙ２における組立済み足場Ａに最初の第１の追加の足場Ｂを接続する時は、図１で後述するように、防護網９の先端は吊り材８に吊り下げられ、更にこの防護網９の下端は下段の足場Ｙ１の手摺支柱６ａに吊り下げられる。
【００２９】
次いで、上記第１の追加の足場Ｂに第２の追加の足場Ｂを、同じく第２の追加の足場Ｂに第３の追加の足場Ｂを順次接続した時は、防護網９が矢印Ｒに示すように順次盛り替えられる。この時は防護網９の下端は最下段の足場Ｙ１の手摺支柱６ａに届かないので自己の足場Ｙ２の任意の位置に吊り下げた介錯ロープに吊り下げるようになっている。
【００３０】
以後、上記のような防護網９の盛り替え作業を繰り返して各足場Ｙ２、Ｙ３・・・Ｙｎの追加の足場Ｂの下方に防護網９を展張するようになっている。
【００３１】
次に、階段状に複数の足場を吊り下げた時の防護網９の取付け装置の実施の形態を図１、図４に基づいて説明する。
【００３２】
この実施の形態に係る吊り足場における防護網の取付け装置では、４つの組立済み足場Ａと、この組立済み足場Ａの正面側端部にそれぞれ接続した４つの追加の足場Ｂとをそれぞれ備えた下段足場Ｙ１と上段足場Ｙ２とが傾斜又は湾曲した構造物の工事箇所に対応して階段状に吊りワイヤＷを介して吊り下げられている。
【００３３】
上記の組立済み足場Ａと追加の足場Ｂの枠体の構造と、両者の接続工程は上記図２で説明した場合の構造及び工程と同じである。即ち、組立済み足場Ａと追加の足場Ｂとがそれぞれ前後左右のジョイスト１、２、３、４と、各ジョイスト１、２、３、４の端部を関節移動式に回転自在に結合させたノード５と、ノード５の中心から起立した手摺支柱６ａと、各ジョイスト１、２、３、４上に載置した床材７とを備えている。
【００３４】
そして、上記組立済み足場Ａの前側のジョイスト１に追加の足場Ｂの左右のジョイスト３、４をノード５を介して回転自在に結合させている。
【００３５】
更に、追加の足場Ｂの左右一対の各手摺支柱６ａ、６ａ上に追加の足場Ｂより前側外方に延びる一対の吊り材８、８を回転自在に取付け、各吊り材８の先端に矩形の防護網９の先端コーナを吊り下げ、防護網９の下端コーナを下段足場Ｙ１の手摺支柱６ａに吊り下げるようにしている。なお、本例では防護網９は矩形とされているが、防護網９の形状は特に限定されない。
【００３６】
上記の実施の形態では追加の足場Ｂを組立済み足場Ａの前側に接続した状態を示しているが、この追加の足場Ｂは図２（Ｄ）に示すように前後、左右に接続しても良い。
【００３７】
上記の実施の形態は傾斜又は湾曲した構造物の工事箇所に上下の足場Ｙ１、Ｙ２を階段状に吊り下げているが、構造物の工事箇所が水平な場合は、組立済み足場Ａと、組立済み足場Ａの端部に接続した追加の足場Ｂとを備えた単一の吊り足場を吊り下げるようにしている。
【００３８】
この場合の組立済み足場Ａと追加の足場Ｂとの構造、手摺支柱６ａ、吊り材８の構造、取り付け位置は上記の実施の形態と同じである。
【００３９】
但し、この場合、吊り材８の先端に矩形の防護網９の先端コーナを吊り下げるが、この防護網９の下端コーナは組立済み足場Ａの任意の位置に設けた介錯ロープによって吊り下げるようにしている。
【００４０】
上記吊り材８は図１に示すように、手摺支柱６ａの上端に回転自在に支持された水平ロッド８ａと、水平ロッド８ａの先端に連結したハの字状の一対の吊りロッド８ｂ、８ｃとから構成されている。
【００４１】
そして、一方の吊りロッド８ｂに防護網９の先端コーナを吊り下げ、他方の吊りロッド８ｃに防護網９の任意の外端部を吊り下げて防護網９にテンションを掛けて下方に弛むのを防止させている。
【００４２】
本例では、吊りロッド８ｂ、８ｃはハの字状に設けられているが、水平ロッド８ａと同軸に延びる一本の吊りロッドを水平ロッド８ａの先端に連結するようにしても良い。
【００４３】
吊り材８は、支持部材１７を介して手摺支柱６ａの上部に連結されている。この支持部材１７は、図１、図１２に示すように、足場Ａ、Ｂの延長方向に沿って並べて設けられる２つの手摺支柱６ａ，６ａの上部にそれぞれ回転自在に挿入されるとともに手摺６の横支柱６ｂを連結支持するフランジ１３に支えられた筒体１１と、筒体１１の外周に筒体１１に対して直交する向きで溶接等で固定されるガイド筒１０とを備える。
【００４４】
また、ガイド筒１０と水平ロッド８ａには、それぞれピン孔が設けられており、ガイド筒１０に水平ロッド８ａを挿入するとともに当該ピン孔を互いに対向させた状態で回転防止ピン１２が挿入されている。
【００４５】
このように、ガイド筒１０と水平ロッド８ａに回転防止ピン１２を挿入すると水平ロッド８ａが軸周りに回転するのが防止され、吊りロッド８ｂ、８ｃを平面視でハの字状となる正位置で固定できるので吊り下げた防護網９が捩れるのを防止できるようになっている。
【００４６】
さらに、筒体１１は手摺支柱６ａの外周に沿って回転自在に挿入されているため、いずれか一方のガイド筒１０から水平ロッド８ａを抜きつつ他方のガイド筒１０に結合された筒体１１を回転すれば、ガイド筒１０に挿入された水平ロッド８ａを横向きにできるので、追加の足場Ｂの組立て完了後に不要となった吊り材８を簡単に引き抜いて取り外しでき、取り外した吊り材８を次の追加の足場Ｂを組み立てる際に利用できる。
【００４７】
また、吊りロッド８ｂ，８ｂの先端には、それぞれ半円状の引掛け具１５が設けられている。そして、先端が吊り具１６を介して防護網９の先端コーナに結合された牽引ロープ１４を、引掛け具１５に挿通させるとともに牽引ロープ１４の後端を手摺支柱６ａや横支柱６ｂ等に結合することで吊り材８で防護網９を吊っている。この際、牽引ロープ１４の引っ張り具合によって防護網９をテンションを調整できる。
【００４８】
次に、階段状に吊り下げた下段足場Ｙ１と上段足場Ｙ２とに防護網９を取付ける一実施の形態に係る工程を図５〜図１０に基づいて説明する。
【００４９】
先ず、地上又は構造物上で予め組立てられた下段足場Ｙ１をクレーン等の重機でワイヤＷを介して構造物に吊下げる。さらに、下段足場Ｙ１上で組み立てた上段足場Ｙ２を重機を使って構造物にワイヤＷを介して吊下げて、図５に示すような状態とする。
【００５０】
図５は、上段足場Ｙ２の組立済み足場Ａに追加の足場Ｂを接続し、この追加の足場Ｂの両側に設けた第１の吊り材８Ａ、８Ａを介して追加の足場Ｂの下方に防護網９を展張させた状態を示している。
【００５１】
この第１の吊り材８Ａとしては上記した吊り材８と同じ構造ものが使用される。
【００５２】
この時、防護網９の下端は下段足場Ｙ１に起立させた手摺支柱６ａに連結されている。
【００５３】
そして、組立済み足場Ａと追加の足場Ｂとからなる一体の足場を次の工程において組立済みの足場Ａとして利用する。即ち、この状態で次の追加の足場Ｂを接続する場合は上記の追加の足場Ｂを組立済みの足場Ａとして利用し、この追加の足場Ｂの正面側の一端部に次に接続する他の追加の足場Ｂ用のジョイスト２、３、４をノード５を介して回転自在に接続する（第一の工程）。
【００５４】
次に、図６に示すように、上記ジョイスト２を取付けるノード５に起立させた手摺支柱６ａにもう一つの第２の吊り材８Ｂを回転自在に取付け、この第２の吊り材８Ｂの先端にも防護網９の先端部を吊り下げる。また、この防護網９の下端は上記のように下段足場Ｙ１における手摺支柱６ａに連結されている（第二の工程）。
【００５５】
次に、図７に示すように、上記のようにして取付けたジョイスト２、３、４を矢印のように回転して矩形の枠体を構成させ、上記の第２の吊り材８Ｂに防護網９を盛替えてそのコーナ端部を吊り下げる。
【００５６】
併せて、追加の足場Ｂの正面側端部にもジョイスト２、３、４をノード５を介して取付ける。
【００５７】
この際、防護網９の側部は上記の第１の吊り材８Ａに吊り下げられ、更に防護網９の下端は上記の場合と同じく下段足場Ｙ１における手摺支柱６ａに連結される（第三の工程）。
【００５８】
次に、図８に示すように、追加したジョイスト４の先端と末端にそれぞれ連結されるノード５，５に設けられた各手摺支柱６ａ，６ａにも筒体１１とガイド筒１０を介して第２の吊り材８Ｂが取り付けられており、この第２の吊り材８Ｂは防護網９の先端部を吊り下げる（第四の工程）。
【００５９】
更に、図９に示すように、第三の工程で追加したジョイスト２、３、４を矢印のように回転させて矩形の枠体を構成させると、ジョイスト４の両端部にそれぞれ連結されるノード５，５に設けられた第２の吊り材８Ｂもジョイスト４とともに移動し、両側一対の第２の吊り材８Ｂ、８Ｂによって、防護網９の両端の先端コーナが吊り下げられる（第五の工程）。
【００６０】
上記のようにして、次々に追加の足場Ｂを追加接続して広い吊り足場を組み立てた後、図１０に示すように最初の第１の吊り材８Ａを矢印方向に回転させて取外して撤去することで、図１１に示すように、防護網９の両端の先端コーナは一対の第２の吊り材８Ｂ、８Ｂに吊り下げられ、防護網９の下端は下段足場Ｙ１の手摺支柱６ａに連結される（第六の工程）。
【００６１】
なお、図１０に示すように、多数の追加の足場Ｂが接続された時、防護網９の下端が手摺支柱６ａに届かなくなる場合がある。この場合は、この防護網９の下端は、例えば、上段足場の手摺やジョイスト等の任意の位置から介錯ロープを介して吊り下げても良い。
【００６２】
以上のように、本発明によれば、追加の足場Ｂの手摺支柱６ａ上に追加の足場Ｂより外方に延びる一対の吊り材８、８を回転自在に取付け、各吊り材８，８の先端に矩形の防護網９の先端コーナを吊り下げ、またこの防護網９の下端コーナを下段足場Ｙ１の手摺支柱６ａや組立済み足場Ａの任意の位置に連結しているので、防護網９が追加の足場Ｂの下方に展張できる。
【００６３】
その結果、組立済み足場Ａの端部に追加の足場Ｂを接続する際に工具等が落下するのがより確実に防止され、工事の安全性が図れる。
【００６４】
また、本実施の形態では、吊り材８の吊りロッド８ｂ、８ｃを平面視でハの字状に設けている。これにより、一対の吊り材８のうち互いに内側に配置された吊りロッド８ｃ、８ｃ間の距離が、互いに外側に配置された吊りロッド８ｂ、８ｂ間の距離よりも近くなるため、防護網９を吊り下げ支持する支点間の距離が短くなるので、防護網９が撓みづらくなる。さらに、外側に配置された吊りロッド８ｂは、ジョイスト１，２，３，４とノード５によって形成された枠体の外方に向けて張り出すため、追加の足場Ｂの側方にも防護網９を展張することができるので、より工事の安全性が図れる。
【００６５】
ただし、吊り材８は、吊りロッド８ｂ、８ｃをハの字状に設ける構成には限定されない。例えば、防護網９の撓み易さは防護網９の重量に依存するので、防護網９が軽量であって吊りロッド８ｂ、８ｂのみで吊下げ支持しても防護網９が撓まないのであれば、内側に配置された吊りロッド８ｃを省略してもよい。
【符号の説明】
【００６６】
１、２、３、４  ジョイスト
５  ノード
６  手摺
６ａ  手摺支柱
７  床材
８  吊り材
８ａ  水平材
８ｂ、８ｃ  吊りロッド
９  防護網
１０  ガイド筒
１１  筒体
１２  回転防止ピン
【図１】
2020084477.tif 000003
【図２】
2020084477.tif 000004
【図３】
2020084477.tif 000005
【図４】
2020084477.tif 000006
【図５】
2020084477.tif 000007
【図６】
2020084477.tif 000008
【図７】
2020084477.tif 000009
【図８】
2020084477.tif 000010
【図９】
2020084477.tif 000011
【図１０】
2020084477.tif 000012
【図１１】
2020084477.tif 000013
【図１２】
2020084477.tif 000014